(57)【特許請求の範囲】
【請求項１】
平行な２つの接続対象物間を接続するコネクタにおいて、
前記接続対象物の一方は、表面上に第１パッドを有し、前記接続対象物の他方は、スルーホールが形成され、かつ、前記スルーホールの周囲の表面上に第２パッドを有し、
前記コネクタは、コンタクトと、前記コンタクトを受容する受容孔が設けられたインシュレータとから構成され、
前記コンタクトは、対向する一方の辺部の長さと他方の辺部の長さが異なる略Ｕ字状に形成され、その中央湾曲板部には前記第１パッドと接続する第１接点を有し、その一方の端部には前記第２パッドと接続する第２接点を有し、その他方の端部は前記スルーホール内に配置され、
前記２つの接続対象物が前記コンタクトに対して圧縮力を印加することにより、前記第２接点は前記第２パッド上を摺動し、前記コンタクトは前記中央湾曲板部と前記他方の端部との間で前記第２パッドのエッジと接触し、かつ、接触した箇所が支点となって、接触力が漸増し、前記他方の端部は前記第２パッドの一側面に接触することを特徴とするコネクタ。
【請求項２】
前記コンタクトの前記一方の端部と前記中央湾曲板部との間を略く字状に形成し、前記インシュレータの前記受容孔も略く字状に形成することにより、前記コンタクトを前記受容孔内で弾性変形可能に保持することを特徴とする請求項１記載のコネクタ。
【請求項３】
前記第２パッドの前記一側面に電気的接触部を形成し、前記コンタクトの前記他方の端部が前記電気的接触部と接続することを特徴とする請求項１記載のコネクタ。
【請求項４】
前記第２パッドの前記エッジが前記コンタクトの前記中央湾曲板部と前記他方の端部との間と接続する電気的接触部であることを特徴とする請求項１又は３記載のコネクタ。
【発明の詳細な説明】
【０００１】
【発明の属する技術分野】
本発明は、平行な２つの接続対象物間を接続するコネクタ、一例としてプリント基板とＩＣパッケージとを接続するコネクタに関する。
【０００２】
【従来の技術】
実用新案登録第２５３７６０６号公報に記載された従来の２枚のプリント基板を接続するコネクタについて図２を参照して説明する。
【０００３】
ハウジング２１には、傾斜した受容孔２１Ａが紙面の左右方向に一定の間隔で複数個設けられ、各受容孔２１Ａ内にコンタクト２２が挿入されている。
【０００４】
コンタクト２２は、略近似ループ形Ｕ字板状に形成され、中央湾曲板部２２Ａと、中央湾曲板部２２Ａの一端に連続して形成された長い平板状延長部２２Ｂと、長い平板状延長部２２Ｂの先端に連続して形成された円弧状湾曲板部２２Ｃと、中央湾曲板部２２Ａの他端に連続して折曲形成された短い平板状延長部２２Ｄと、短い平板状延長部２２Ｄの先端２２Ｅに連続して形成された折曲板部２２Ｆとから一体に構成される。
【０００５】
ハウジング２１の受容孔２１Ａの内側の一方には、平面壁２１Ｂが、他方には、傾斜壁２１Ｃが、それぞれ形成される。
【０００６】
コンタクト２２は、ハウジング２１の受容孔２１Ａ内に挿入されると、図２（ａ）に示されるように、長い平板状延長部２２Ｂは、全面的に平面壁２１Ｂに接触し、また、先端２２Ｅは、傾斜壁２１Ｃに当接する。また、コンタクト２２の中央湾曲板部２２Ａと円弧状湾曲板部２２Ｃの各一部は、受容孔２１Ａから突出する。長い平板状延長部２２Ｂと先端２２Ｅとの間隔は、負荷が作用しないときには、図２（ｃ）に示されるようにｄ０  であるが、図２（ａ）の状態では、ｄ１  である。
【０００７】
ハウジング２１の上下両側を第１プリント基板２３と第２プリント基板２４とにより挟持すると、図２（ｂ）に示されるように、第１プリント基板２３のパッド２３Ａは、コンタクト２２の中央湾曲板部２２Ａを押圧して若干受容孔２１Ａ内に押し込み、また、第２プリント基板２４のパッド２４Ａは、コンタクト２２の円弧状湾曲板部２２Ｃを押圧して受容孔２１Ａ内に押し込む。この結果、長い平板状延長部２２Ｂと先端２２Ｅとの間隔は、ｄ２  となり、長い平板状延長部２２Ｂの一端と平面壁２１Ｂとが当接し、また、先端２２Ｅと傾斜壁２１Ｃとが当接する。
【０００８】
【発明が解決しようとする課題】
前記従来のコネクタでは、コンタクトの全体がハウジングの受容孔内にほぼ挿入されている。したがって、コンタクトが両プリント基板により挟持されると、コンタクトは、受容孔内でしか弾性変形することができないから、弾性変形量の割にコンタクトに生じる応力が大きいので、コンタクトの耐久性が低減する。また、各プリント基板のパッドは、コンタクトと１箇所で単純に接触するだけであるので、両プリント基板のパッド間の電気的接続は、必らずしも十分に行われない。
【０００９】
そこで、本発明は、前記従来のコネクタの欠点を改良し、コンタクトの弾性変形量の割にコンタクトに生じる応力を小さくすることにより、コンタクトの耐久性を向上し、しかも、両接続対象物の間を確実に電気的に接続できるコネクタを提供しようとするものである。
【００１０】
【課題を解決するための手段】
本発明は、前記課題を解決するため、次の手段を採用する。
【００１１】
１．平行な２つの接続対象物間を接続するコネクタにおいて、前記接続対象物の一方は、表面上に第１パッドを有し、前記接続対象物の他方は、スルーホールが形成され、かつ、前記スルーホールの周囲の表面上に第２パッドを有し、前記コネクタは、コンタクトと、前記コンタクトを受容する受容孔が設けられたインシュレータとから構成され、前記コンタクトは、対向する一方の辺部の長さと他方の辺部の長さが異なる略Ｕ字状に形成され、その中央湾曲板部には前記第１パッドと接続する第１接点を有し、その一方の端部には前記第２パッドと接続する第２接点を有し、その他方の端部は前記スルーホール内に配置され、前記２つの接続対象物が前記コンタクトに対して圧縮力を印加することにより、前記第２接点は前記第２パッド上を摺動し、前記コンタクトは前記中央湾曲板部と前記他方の端部との間で前記第２パッドのエッジと接触し、かつ、接触した箇所が支点となって、接触力が漸増し、前記他方の端部は前記第２パッドの一側面に接触するコネクタ。
【００１２】
２．前記コンタクトの前記一方の端部と前記中央湾曲板部との間を略く字状に形成し、前記インシュレータの前記受容孔も略く字状に形成することにより、前記コンタクトを前記受容孔内で弾性変形可能に保持する前記１記載のコネクタ。
【００１３】
３．前記第２パッドの前記一側面に電気的接触部を形成し、前記コンタクトの前記他方の端部が前記電気的接触部と接続する前記１記載のコネクタ。
【００１４】
４．前記第２パッドの前記エッジが前記コンタクトの前記中央湾曲板部と前記他方の端部との間と接続する電気的接触部である前記１又は３記載のコネクタ。
【００１５】
【発明の実施の形態】
本発明の一実施の形態例のコネクタについて図１（ａ）〜（ｃ）を参照して説明する。
【００１６】
まず、コネクタにおけるコンタクトとインシュレータの構造を説明する。コネクタ１は、インシュレータ２と、インシュレータ２に設けられた複数の受容孔２Ａにそれぞれ挿入された複数のコンタクト３とから構成される。各受容孔２Ａは、垂直部２Ｂと傾斜部２Ｃとから略く字状に構成される。各コンタクト３は、非平衡の略Ｕ字板状に形成され、中央湾曲板部３Ａと、中央湾曲板部３Ａの一端に連続して折曲形成された短い平板状延長部３Ｂと、短い平板状延長部３Ｂの先端に連続して形成された円弧状湾曲板部３Ｃと、中央湾曲板部３Ａの他端に連続して折曲形成された長い平板状延長部３Ｄと、長い平板状延長部３Ｄの先端に連続して形成された円弧状湾曲板部３Ｅとから一体に構成される。
【００１７】
後述するように、ＩＣパッケージ６とプリント基板４とが接続するとき、各コンタクト３の中央湾曲板部３Ａの頂上、円弧状湾曲板部３Ｃ、円弧状湾曲板部３Ｅ、長い平板状延長部３Ｄの中間位置は、それぞれ、第１接点３Ａ１、第２接点３Ｃ１、第３接点３Ｅ１、第４接点３Ｄ１となる。
【００１８】
次に、基板について説明すると、基板４には、垂直方向に複数のスルーホール４Ａが設けられ、各スルーホール４Ａの内壁には、パッド５が形成されている。各パッド５の一側面５Ａから水平方向に延長部５Ｂが形成され、また、各パッド５の他の一側面５Ｃの一端部（エッジ）５Ｄは、各コンタクト３の長い平板状延長部３Ｄに当接し、各コンタクト３が弾性変形するときの支点となる。
【００１９】
続いて、ＩＣパッケージについて説明すると、ＩＣパッケージ６の底面には、複数箇所にパッド７が形成されている。
【００２０】
図１（ａ）と（ｂ）に示される未嵌合状態において、ＩＣパッケージ６を下方向に移動させると、各パッド７は、各コンタクト３の中央湾曲板部３Ａの第１接点３Ａ１を各受容孔２Ａ内に没入するまで押圧する。すると、各コンタクト３は、図１（ｃ）に示されるように、長い平板状延長部３Ｄと各パッド５の一端部（エッジ）５Ｄとの接触点を支点として短い平板状延長部３Ｂと長い平板状延長部３Ｄとを開くように弾性変形する。そして、各円弧状湾曲板部３Ｃの第２接点３Ｃ１は、各パッド５の延長部５Ｂ上を摺動し、また、各長い平板状延長部３Ｄの先端に形成された各円弧状湾曲板部３Ｅの第３接点３Ｅ１は、各パッド５の一側面５Ａ上を摺動する。この結果、コネクタ１は、ＩＣパッケージ６と基板４とを接続する嵌合状態に至る。
【００２１】
【発明の効果】
以上の説明から明らかなように、本発明によれば、次の効果を奏することができる。
【００２２】
１．コンタクトを非平衡の略Ｕ字状に形成したので、コンタクトの弾性変形量が大きくても、コンタクトに生じる応力が小さくなる。したがって、コンタクトの耐久性が向上する。
【００２３】
２．両接続対象物の間を確実に電気的に接続できる。更に、コンタクトは、一方の接続対象物のパッドに対しては１箇所接続するが、他方の接続対象物のパッドに対しては２箇所又は３箇所接続も可能であるので、両接続対象物の間を一層確実に電気的に接続できる。
【図面の簡単な説明】
【図１】本発明の一実施の形態例のコネクタの諸断面図であり、（ａ）は嵌合前の正面側から見た断面図、（ｂ）は嵌合前の側面側から見た断面図、（ｃ）は嵌合時の正面側から見た断面図を、それぞれ示す。
【図２】従来のコネクタの諸図であり、（ａ）は嵌合前の断面図、（ｂ）は嵌合時の断面図、（ｃ）はコンタクトの斜視図を、それぞれ示す。
【符号の説明】
１    コネクタ
２    インシュレータ
２Ａ    受容孔
２Ｂ    垂直部
２Ｃ    傾斜部
３    コンタクト
３Ａ    中央湾曲板部
３Ａ１    第１接点
３Ｂ    短い平板状延長部
３Ｃ    円弧状湾曲板部
３Ｃ１    第２接点
３Ｄ    長い平板状延長部
３Ｄ１    第４接点
３Ｅ    円弧状湾曲板部
３Ｅ１    第３接点
４    基板
４Ａ    スルーホール
５    パッド
５Ａ    一側面
５Ｂ    延長部
５Ｃ    他の一側面
５Ｄ    一端部（エッジ）
６    ＩＣパッケージ
７    パッド
【図１】
0003848824.tif 000002
【図２】
0003848824.tif 000003